(57)【要約】【課題】チャネル状態に応じて少なくとも１つの予め決定されたパラメータを変更することにより、変化する無線チャネル状態に応じてチャネルを効率的に使用できるようにした、拡張されたリンク適応技法を提供する移動通信端末機及びその方法を提供する。【解決手段】拡張されたリンク適応技法を提供する移動通信端末機は、チャネル状態に応じて少なくとも１つの予め決定されたパラメータを設定するＣＰＵと、その設定されたパラメータに基づいて入力されたデータを処理するＨＡＲＱ送受信処理部とを含む。【選択図】図１
2007159138.tif 000002
【特許請求の範囲】
【請求項１】
チャネル状態に応じて少なくとも１つの予め決定されたパラメータを設定するＣＰＵと、
前記設定されたパラメータに基づいて入力されたデータを処理するＨＡＲＱ送信処理部及びＨＡＲＱ受信処理部と、
を含むことを特徴とする拡張されたリンク適応技法を提供する移動通信端末機。
【請求項２】
前記少なくとも１つの予め決定されたパラメータが、チャネル符号化器の種類、ＦＥＣ符号化率、ＲＭパターン、チャネルインターリーバの種類、インターリーブパターン、及びＡＲＱタイプを含むことを特徴とする請求項１に記載の拡張されたリンク適応技法を提供する移動通信端末機。
【請求項３】
前記チャネル符号化器の種類が、ＢＣ、ＣＣ、ＴＣ、ＳＣＣＣ、及びＴＬＣを含むことを特徴とする請求項２に記載の拡張されたリンク適応技法を提供する移動通信端末機。
【請求項４】
前記チャネルインターリーバの種類が、ランダムインターリーバ及びブロックインターリーバを含むことを特徴とする請求項２に記載の拡張されたリンク適応技法を提供する移動通信端末機。
【請求項５】
前記ＡＲＱタイプが、ＳＡＷ  ＡＲＱ及びＳＲ  ＡＲＱを含むことを特徴とする請求項２に記載の拡張されたリンク適応技法を提供する移動通信端末機。
【請求項６】
前記ＨＡＲＱ送信処理部が、前記設定されたパラメータに基づいて送信するデータを処理し、
前記ＨＡＲＱ受信処理部が、前記設定されたパラメータに基づいて受信されたデータを処理することを含むことを特徴とする請求項１に記載の拡張されたリンク適応技法を提供する移動通信端末機。
【請求項７】
前記設定されたパラメータに基づいて送信するデータにＣＲＣビットを追加してパケット化するＣＲＣ部と、
前記設定されたパラメータに基づいて前記パケット化されたデータをチャネル符号化し、前記チャネル符号化されたデータを前記ＨＡＲＱ送信処理部に出力する、少なくとも１つのチャネル符号化器で構成されたチャネル符号化部と、
をさらに含むことを特徴とする請求項１に記載の拡張されたリンク適応技法を提供する移動通信端末機。
【請求項８】
前記ＨＡＲＱ送信処理部で処理されたデータをチャネルインターリーブする、少なくとも１つのチャネルインターリーバで構成されたチャネルインターリーバ部と、
前記チャネルインターリーブされたデータを変調する変調器と、
前記変調されたデータを送信するアンテナと、
をさらに含むことを特徴とする請求項７に記載の拡張されたリンク適応技法を提供する移動通信端末機。
【請求項９】
データを受信するアンテナと、
前記受信されたデータを復調する復調器と、
前記復調されたデータをチャネルデインターリーブし、前記チャネルデインターリーブされたデータを前記ＨＡＲＱ受信処理部に出力する、少なくとも１つのチャネルデインターリーバで構成されたチャネルデインターリーバ部と、
をさらに含むことを特徴とする請求項１に記載の拡張されたリンク適応技法を提供する移動通信端末機。
【請求項１０】
前記ＨＡＲＱ受信処理部で処理されたデータをチャネル復号化する、少なくとも１つのチャネル復号化器で構成されたチャネル復号化部と、
前記チャネル復号化されたデータからＣＲＣビットを抽出してデパケット化するＣＲＣ部と、
をさらに含むことを特徴とする請求項９に記載の拡張されたリンク適応技法を提供する移動通信端末機。
【請求項１１】
前記ＣＰＵが、チャネル状態に応じて前記少なくとも１つのパラメータを変更することを特徴とする請求項１に記載の拡張されたリンク適応技法を提供する移動通信端末機。
【請求項１２】
前記ＣＰＵが、チャネル状態に関する情報をＣＱＩを利用して転送することを特徴とする請求項１に記載の拡張されたリンク適応技法を提供する移動通信端末機。
【請求項１３】
チャネル状態に応じて少なくとも１つの予め決定されたパラメータを設定する段階と、
前記設定されたパラメータに基づいて入力されたデータを処理する段階と、
を含むことを特徴とする拡張されたリンク適応技法を提供する方法。
【請求項１４】
前記少なくとも１つの予め決定されたパラメータが、チャネル符号化器の種類、ＦＥＣ符号化率、ＲＭパターン、チャネルインターリーバの種類、インターリーブパターン、及びＡＲＱタイプを含むことを特徴とする請求項１３に記載の拡張されたリンク適応技法を提供する方法。
【請求項１５】
前記チャネル符号化器の種類が、ＢＣ、ＣＣ、ＴＣ、ＳＣＣＣ、及びＴＬＣを含むことを特徴とする請求項１４に記載の拡張されたリンク適応技法を提供する方法。
【請求項１６】
前記チャネルインターリーバの種類が、ランダムインターリーバ及びブロックインターリーバを含むことを特徴とする請求項１４に記載の拡張されたリンク適応技法を提供する方法。
【請求項１７】
前記ＡＲＱタイプが、ＳＡＷ  ＡＲＱ及びＳＲ  ＡＲＱを含むことを特徴とする請求項１４に記載の拡張されたリンク適応技法を提供する方法。
【請求項１８】
前記設定されたパラメータに基づいて送信するデータにＣＲＣビットを追加してパケット化する段階と、
前記設定されたパラメータに基づいて前記パケット化されたデータをチャネル符号化し、前記チャネル符号化されたデータを出力する段階と、
をさらに含むことを特徴とする請求項１３に記載の拡張されたリンク適応技法を提供する方法。
【請求項１９】
前記処理されたパケット化されたデータをチャネルインターリーブする段階と、
前記チャネルインターリーブされたデータを変調する段階と、
前記変調されたデータを送信する段階と、
をさらに含むことを特徴とする請求項１８に記載の拡張されたリンク適応技法を提供する方法。
【請求項２０】
データを受信する段階と、
前記受信されたデータを復調する段階と、
前記復調されたデータをチャネルデインターリーブし、前記チャネルデインターリーブされたデータを出力する段階と、
をさらに含むことを特徴とする請求項１３に記載の拡張されたリンク適応技法を提供する方法。
【請求項２１】
前記処理された復調されたデータをチャネル復号化する段階と、
前記チャネル復号化されたデータからＣＲＣビットを抽出してデパケット化する段階と、
をさらに含むことを特徴とする請求項２０に記載の拡張されたリンク適応技法を提供する方法。
【発明の詳細な説明】
【技術分野】
【０００１】
本発明は移動通信端末機に関し、特に、変化する無線チャネル状態に応じてチャネルを効率的に使用できるようにした、拡張されたリンク適応技法を提供する移動通信端末機及びその方法に関する。
【背景技術】
【０００２】
一般に、移動通信端末機は、基地局により形成されるサービスエリア内で移動しながら、ＭＳＣ（Ｍｏｂｉｌｅ  Ｓｗｉｔｃｈｉｎｇ  Ｃｅｎｔｅｒ）のスイッチング制御により、いつでもどこでも直ちに相手を無線呼出及び無線接続して通信できる装置であって、音声通信だけでなく、記号、数字、文字などが含まれるデータ通信、及び画像信号が含まれるマルチメディア通信が可能である。
【０００３】
このような移動通信端末機のための移動通信システムとしては、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などがあり、ＩＴＵ（Ｉｎｔｅｒｎａｔｉｏｎａｌ  Ｔｅｌｅｃｏｍｍｕｎｉｃａｔｉｏｎ  Ｕｎｉｏｎ）により地域に関係なくより良質のマルチメディアサービスをサポートするための第３世代移動通信システムとしては、ＩＭＴ―２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）が選定された。
【０００４】
このような第３世代移動通信市場の初期段階で、特に、無線ラン、デジタルマルチメディア放送、及び携帯インターネットなどの第３世代競争サービスの出現により、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）の早期市場投入が要求されている。前記ＨＳＤＰＡは、既存の非同期ＩＭＴ−２０００の進化段階の方式であって、ダウンリンクでの高速データ転送のために追加された接続技法であり、ダウンリンクの転送速度を高めて転送遅延を減らすなどの利点がある。
【０００５】
図６は、従来のリンク適応技法を提供する送信側移動通信端末機を示す構成図である。
【０００６】
図６に示すように、従来のリンク適応技法を提供する送信側移動通信端末機は、各種装置を制御するＣＰＵ（Ｃｅｎｔｒａｌ  Ｐｒｏｃｅｓｓｉｎｇ  Ｕｎｉｔ）１００と、入力されたデータにＣＲＣ（Ｃｙｃｌｉｃ  Ｒｅｄｕｎｄａｎｃｙ  Ｃｈｅｃｋｓｕｍ）ビットを追加してパケット化するＣＲＣ部２００と、前記パケット化されたデータをチャネル符号化するチャネル符号化器３００と、予め設定されたＦＥＣ（Ｆｏｒｗａｒｄ  Ｅｒｒｏｒ  Ｃｏｒｒｅｃｔｉｏｎ）符号化率で前記チャネル符号化されたデータを処理するＨＡＲＱ（Ｈｙｂｒｉｄ  Ａｕｔｏｍａｔｉｃ  Ｒｅｐｅａｔ  ｒｅＱｕｅｓｔ）送信処理部４１０と、前記処理されたデータをチャネルインターリーブするチャネルインターリーバ５００と、前記チャネルインターリーブされたデータを変調する変調器６００と、前記変調されたデータを送信するアンテナ７００とを含む。
【０００７】
以下、従来のリンク適応技法を提供する方法について図７を参照して説明する。
【０００８】
図７は、従来のリンク適応技法を提供する方法を示すフローチャートである。
【０００９】
図７に示すように、従来のリンク適応技法を提供する方法は、入力されたデータを予め設定されたサイズにパケット化する段階（Ｓ２１０）と、前記パケット化されたデータをチャネル符号化する段階（Ｓ２２０）と、前記チャネル符号化されたデータを予め設定されたＦＥＣ符号化率で処理する段階（Ｓ２３０）と、前記処理されたデータをチャネルインターリーブする段階（Ｓ２４０）と、前記チャネルインターリーブされたデータを物理チャネルにマッピングする段階（Ｓ２５０）と、前記マッピングされたデータを変調して前記変調されたデータを送信する段階（Ｓ２６０）とを含む。
【００１０】
以下、このような従来のリンク適応技法を提供する方法をより詳細に説明する。
【００１１】
まず、送信側移動通信端末機は、入力されたデータを予め設定されたサイズにパケット化する（Ｓ２１０）。すなわち、前記送信側移動通信端末機は、送信するデータが入力されると前記入力されたデータにエラー検出用データであるＣＲＣビットを追加し、前記予め設定されたサイズにパケット化する。
【００１２】
次に、前記送信側移動通信端末機は、前記パケット化されたデータをチャネル符号化し（Ｓ２２０）、前記チャネル符号化されたデータを予め設定されたＦＥＣ符号化率で処理する（Ｓ２３０）。すなわち、前記送信側移動通信端末機は、前記パケット化されたデータの転送時にエラー訂正機能を向上させるために、いずれか１つのＦＥＣ符号化率を予め設定する。
【００１３】
次に、前記送信側移動通信端末機は、前記処理されたデータをチャネルインターリーブする（Ｓ２４０）。すなわち、前記送信側移動通信端末機は、前記処理されたデータの転送中に損失が発生する確率を低減するために、前記処理されたデータをチャネルインターリーブする。
【００１４】
次に、前記送信側移動通信端末機は、前記チャネルインターリーブされたデータを物理チャネルにマッピングし（Ｓ２５０）、前記マッピングされたデータを変調して前記変調されたデータを送信する（Ｓ２６０）。すなわち、前記送信側移動通信端末機は、前記マッピングされたデータを、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、８ＰＳＫ、１６ＱＡＭ（Ｑｕａｄｒａｔｕｒｅ  Ａｍｐｌｉｔｕｄｅ  Ｍｏｄｕｌａｔｉｏｎ）、６４ＱＡＭなどのうち、予め設定されたいずれか１つの方式のみで変調し、前記変調されたデータを受信側移動通信端末機に送信する。
【発明の開示】
【発明が解決しようとする課題】
【００１５】
しかし、従来のリンク適応技法を提供する移動通信端末機及びその方法は、チャネル状態に関係なく、いずれか１つの予め設定されたＦＥＣ符号化率でデータを再転送するため、変化する無線チャネル状態に応じてチャネルを効率的に使用できないという問題があった。
【００１６】
本発明は、このような従来技術の問題を解決するためになされたもので、チャネル状態に応じて少なくとも１つの予め決定されたパラメータを変更することにより、変化する無線チャネル状態に応じてチャネルを効率的に使用できるようにした、拡張されたリンク適応技法を提供する移動通信端末機及びその方法を提供することを目的とする。
【課題を解決するための手段】
【００１７】
上記の目的を達成するために、本発明による拡張されたリンク適応技法を提供する移動通信端末機は、チャネル状態に応じて少なくとも１つの予め決定されたパラメータを設定するＣＰＵと、前記設定されたパラメータに基づいて入力されたデータを処理するＨＡＲＱ送受信処理部とを含むことを特徴とする。
【００１８】
上記の目的を達成するために、本発明による拡張されたリンク適応技法を提供する方法は、チャネル状態に応じて少なくとも１つの予め決定されたパラメータを設定する段階と、前記設定されたパラメータに基づいて入力されたデータを処理する段階とを含むことを特徴とする。
【００１９】
本発明の他の目的及び特徴は添付図面を参照した実施形態の説明により明らかになるであろう。
【００２０】
上記目的を達成するために、本発明は、例えば、以下の手段を提供する：
（項目１）
チャネル状態に応じて少なくとも１つの予め決定されたパラメータを設定するＣＰＵと、
前記設定されたパラメータに基づいて入力されたデータを処理するＨＡＲＱ送信処理部及びＨＡＲＱ受信処理部と、
を含むことを特徴とする拡張されたリンク適応技法を提供する移動通信端末機。
（項目２）
前記少なくとも１つの予め決定されたパラメータが、チャネル符号化器の種類、ＦＥＣ符号化率、ＲＭパターン、チャネルインターリーバの種類、インターリーブパターン、及びＡＲＱタイプを含むことを特徴とする項目１に記載の拡張されたリンク適応技法を提供する移動通信端末機。
（項目３）
前記チャネル符号化器の種類が、ＢＣ、ＣＣ、ＴＣ、ＳＣＣＣ、及びＴＬＣを含むことを特徴とする項目２に記載の拡張されたリンク適応技法を提供する移動通信端末機。
（項目４）
前記チャネルインターリーバの種類が、ランダムインターリーバ及びブロックインターリーバを含むことを特徴とする項目２に記載の拡張されたリンク適応技法を提供する移動通信端末機。
（項目５）
前記ＡＲＱタイプが、ＳＡＷ  ＡＲＱ及びＳＲ  ＡＲＱを含むことを特徴とする項目２に記載の拡張されたリンク適応技法を提供する移動通信端末機。
（項目６）
前記ＨＡＲＱ送信処理部が、前記設定されたパラメータに基づいて送信するデータを処理し、
前記ＨＡＲＱ受信処理部が、前記設定されたパラメータに基づいて受信されたデータを処理することを含むことを特徴とする項目１に記載の拡張されたリンク適応技法を提供する移動通信端末機。
（項目７）
前記設定されたパラメータに基づいて送信するデータにＣＲＣビットを追加してパケット化するＣＲＣ部と、
前記設定されたパラメータに基づいて前記パケット化されたデータをチャネル符号化し、前記チャネル符号化されたデータを前記ＨＡＲＱ送信処理部に出力する、少なくとも１つのチャネル符号化器で構成されたチャネル符号化部と、
をさらに含むことを特徴とする項目１に記載の拡張されたリンク適応技法を提供する移動通信端末機。
（項目８）
前記ＨＡＲＱ送信処理部で処理されたデータをチャネルインターリーブする、少なくとも１つのチャネルインターリーバで構成されたチャネルインターリーバ部と、
前記チャネルインターリーブされたデータを変調する変調器と、
前記変調されたデータを送信するアンテナと、
をさらに含むことを特徴とする項目７に記載の拡張されたリンク適応技法を提供する移動通信端末機。
（項目９）
データを受信するアンテナと、
前記受信されたデータを復調する復調器と、
前記復調されたデータをチャネルデインターリーブし、前記チャネルデインターリーブされたデータを前記ＨＡＲＱ受信処理部に出力する、少なくとも１つのチャネルデインターリーバで構成されたチャネルデインターリーバ部と、
をさらに含むことを特徴とする項目１に記載の拡張されたリンク適応技法を提供する移動通信端末機。
（項目１０）
前記ＨＡＲＱ受信処理部で処理されたデータをチャネル復号化する、少なくとも１つのチャネル復号化器で構成されたチャネル復号化部と、
前記チャネル復号化されたデータからＣＲＣビットを抽出してデパケット化するＣＲＣ部と、
をさらに含むことを特徴とする項目９に記載の拡張されたリンク適応技法を提供する移動通信端末機。
（項目１１）
前記ＣＰＵが、チャネル状態に応じて前記少なくとも１つのパラメータを変更することを特徴とする項目１に記載の拡張されたリンク適応技法を提供する移動通信端末機。
（項目１２）
前記ＣＰＵが、チャネル状態に関する情報をＣＱＩを利用して転送することを特徴とする項目１に記載の拡張されたリンク適応技法を提供する移動通信端末機。
（項目１３）
チャネル状態に応じて少なくとも１つの予め決定されたパラメータを設定する段階と、
前記設定されたパラメータに基づいて入力されたデータを処理する段階と、
を含むことを特徴とする拡張されたリンク適応技法を提供する方法。
（項目１４）
前記少なくとも１つの予め決定されたパラメータが、チャネル符号化器の種類、ＦＥＣ符号化率、ＲＭパターン、チャネルインターリーバの種類、インターリーブパターン、及びＡＲＱタイプを含むことを特徴とする項目１３に記載の拡張されたリンク適応技法を提供する方法。
（項目１５）
前記チャネル符号化器の種類が、ＢＣ、ＣＣ、ＴＣ、ＳＣＣＣ、及びＴＬＣを含むことを特徴とする項目１４に記載の拡張されたリンク適応技法を提供する方法。
（項目１６）
前記チャネルインターリーバの種類が、ランダムインターリーバ及びブロックインターリーバを含むことを特徴とする項目１４に記載の拡張されたリンク適応技法を提供する方法。
（項目１７）
前記ＡＲＱタイプが、ＳＡＷ  ＡＲＱ及びＳＲ  ＡＲＱを含むことを特徴とする項目１４に記載の拡張されたリンク適応技法を提供する方法。
（項目１８）
前記設定されたパラメータに基づいて送信するデータにＣＲＣビットを追加してパケット化する段階と、
前記設定されたパラメータに基づいて前記パケット化されたデータをチャネル符号化し、前記チャネル符号化されたデータを出力する段階と、
をさらに含むことを特徴とする項目１３に記載の拡張されたリンク適応技法を提供する方法。
（項目１９）
前記処理されたパケット化されたデータをチャネルインターリーブする段階と、
前記チャネルインターリーブされたデータを変調する段階と、
前記変調されたデータを送信する段階と、
をさらに含むことを特徴とする項目１８に記載の拡張されたリンク適応技法を提供する方法。
（項目２０）
データを受信する段階と、
前記受信されたデータを復調する段階と、
前記復調されたデータをチャネルデインターリーブし、前記チャネルデインターリーブされたデータを出力する段階と、
をさらに含むことを特徴とする項目１３に記載の拡張されたリンク適応技法を提供する方法。
（項目２１）
前記処理された復調されたデータをチャネル復号化する段階と、
前記チャネル復号化されたデータからＣＲＣビットを抽出してデパケット化する段階と、
をさらに含むことを特徴とする項目２０に記載の拡張されたリンク適応技法を提供する方法。
【発明の効果】
【００２１】
本発明による拡張されたリンク適応技法を提供する移動通信端末機及びその方法は、チャネル状態に応じて少なくとも１つの予め決定されたパラメータを変更することにより、チャネル状態に応じて最適の転送環境を作ることができ、変化する無線チャネル状態に応じてチャネルを効率的に使用できるという効果がある。
【発明を実施するための最良の形態】
【００２２】
以下、チャネル状態に応じて少なくとも１つの予め決定されたパラメータを変更することにより、変化する無線チャネル状態に応じてチャネルを効率的に使用できるようにした、拡張されたリンク適応技法を提供する移動通信端末機及びその方法の好ましい実施形態を添付図面を参照して説明する。
【００２３】
図１は、本発明による拡張されたリンク適応技法を提供する送信側移動通信端末機を示す構成図である。
【００２４】
図１に示すように、本発明による拡張されたリンク適応技法を提供する送信側移動通信端末機は、チャネル状態に応じて少なくとも１つの予め決定されたパラメータを設定するＣＰＵ１００と、入力されたデータにＣＲＣビットを追加してパケット化するＣＲＣ部２００と、前記設定されたパラメータに基づいて前記パケット化されたデータをチャネル符号化する、少なくとも１つのチャネル符号化器で構成されたチャネル符号化部３２０と、前記設定されたパラメータに基づいて前記チャネル符号化されたデータを処理するＨＡＲＱ送信処理部４１０と、前記設定されたパラメータに基づいて前記処理されたデータをチャネルインターリーブする、少なくとも１つのチャネルインターリーバで構成されたチャネルインターリーバ部５２０と、前記チャネルインターリーブされたデータを変調する変調器６００と、前記変調されたデータを送信するアンテナ７００とを含む。
【００２５】
以下、本発明による拡張されたリンク適応技法を提供する方法について図２を参照して説明する。
【００２６】
図２は、本発明による拡張されたリンク適応技法を提供する方法を示すフローチャートである。
【００２７】
図２に示すように、本発明による拡張されたリンク適応技法を提供する方法は、チャネル状態に応じて少なくとも１つの予め決定されたパラメータを設定する段階（Ｓ４１０）と、入力されたデータを予め設定されたサイズにパケット化する段階（Ｓ４２０）と、前記設定されたパラメータに基づいて前記パケット化されたデータをチャネル符号化する段階（Ｓ４３０）と、前記設定されたパラメータに基づいて前記チャネル符号化されたデータを処理する段階（Ｓ４４０）と、前記設定されたパラメータに基づいて前記処理されたデータをチャネルインターリーブする段階（Ｓ４５０）と、前記チャネルインターリーブされたデータを物理チャネルにマッピングする段階（Ｓ４６０）と、前記マッピングされたデータを変調して前記変調されたデータを送信する段階（Ｓ４７０）とを含む。
【００２８】
以下、このような本発明による拡張されたリンク適応技法を提供する方法をより詳細に説明する。
【００２９】
まず、ＣＰＵ１００は、多様なチャネル状態に応じて少なくとも１つの予め決定されたパラメータを設定し（Ｓ４１０）、前記設定されたパラメータを、少なくとも１つのチャネル符号化器で構成されたチャネル符号化部３２０、ＨＡＲＱ送信処理部４１０、及び少なくとも１つのチャネルインターリーバで構成されたチャネルインターリーバ部５２０に出力する。ここで、前記少なくとも１つの予め決定されたパラメータは、チャネル符号化器の種類、ＦＥＣ符号化率、ＲＭ（Ｒａｔｅ  Ｍａｔｃｈｉｎｇ）パターン、チャネルインターリーバの種類、インターリーブパターン、及びＡＲＱタイプなどを含む。
【００３０】
次に、ＣＲＣ部２００は、入力されたデータを予め設定されたサイズにパケット化する（Ｓ４２０）。すなわち、ＣＲＣ部２００は、送信するデータが入力されると前記入力されたデータにエラー検出用データであるＣＲＣビットを追加し、前記予め設定されたサイズにパケット化する。
【００３１】
次に、少なくとも１つのチャネル符号化器で構成されたチャネル符号化部３２０は、前記設定されたパラメータに基づいて前記パケット化されたデータをチャネル符号化し（Ｓ４３０）、ＨＡＲＱ送信処理部４１０は、前記設定されたパラメータに基づいて前記チャネル符号化されたデータを処理する（Ｓ４４０）。
【００３２】
ＨＡＲＱ送信処理部４１０は、前記ＦＥＣ符号化率を調節してエラー訂正機能を向上させるだけでなく、前記ＲＭに使用されるパンクチャパターン（Ｐｕｎｃｔｕｒｉｎｇ  Ｐａｔｔｅｒｎ）を調節して時間ダイバーシティ効果を極大化し、前記インターリーブパターンを調節してエラーフロー現象を減らして信頼度の高いパケット転送を可能にする。
【００３３】
また、少なくとも１つのチャネル符号化器で構成されたチャネル符号化部３２０としては、ＢＣ（Ｂｌｏｃｋ  Ｃｏｄｅ）、ＣＣ（Ｃｏｎｖｏｌｕｔｉｏｎａｌ  Ｃｏｄｅ）、ＴＣ（Ｔｕｒｂｏ  Ｃｏｄｅ）、ＳＣＣＣ（Ｓｅｒｉａｌ  Ｃｏｎｃａｔｅｎａｔｅｄ  Ｃｏｎｖｏｌｕｔｉｏｎａｌ  Ｃｏｄｅ）、及びＴＬＣ（Ｔｕｒｂｏ−Ｌｉｋｅ  Ｃｏｄｅ）など使用可能なチャネル符号化器のうちいずれか１つを使用する。このうち、チャネル符号化部３２０の具体例として、第１符号化器と第２符号化器が直列に接続されるＳＣＣＣ符号化器、及び第１符号化器と第２符号化器が並列に接続されるＴＣ符号化器をそれぞれ図３Ａ及び図３Ｂに示す。
【００３４】
さらに、少なくとも１つのチャネルインターリーバで構成されたチャネルインターリーバ部５２０としては、ランダムインターリーバ及びブロックインターリーバなど使用可能なチャネルインターリーバのうちいずれか１つを使用し、ＨＡＲＱ送信処理部４１０としては、ＳＡＷ（Ｓｔｏｐ−Ａｎｄ−Ｗａｉｔ）  ＡＲＱ、ＳＲ（Ｓｅｌｅｃｔｉｖｅ  Ｒｅｐｅａｔ）  ＡＲＱなど使用可能なＡＲＱタイプのうちいずれか１つを使用する。
【００３５】
次に、チャネルインターリーバ部５２０は、前記設定されたパラメータに基づいて前記処理されたデータをチャネルインターリーブする（Ｓ４５０）。すなわち、チャネルインターリーバ部５２０は、前記処理されたデータの転送中に損失が発生しても、その損失を最小化するために前記処理されたデータをチャネルインターリーブする。
【００３６】
次に、変調器６００は、前記チャネルインターリーブされたデータを送信するために物理チャネルにマッピングし（Ｓ４６０）、前記マッピングされたデータを変調して前記変調されたデータを送信する（Ｓ４７０）。すなわち、変調器６００は、前記マッピングされたデータをＢＰＳＫ、ＱＰＳＫ、８ＰＳＫ、１６ＱＡＭ、６４ＱＡＭなどのうちいずれか１つの方式で変調し、前記変調されたデータをアンテナ７００を介して受信側移動通信端末機に送信する。
【００３７】
このように多様なチャネル状態に応じて少なくとも１つの予め決定されたパラメータを設定するために、送信側移動通信端末機は前記多様なチャネル状態をＣＱＩ（Ｃｈａｎｎｅｌ  Ｑｕａｌｉｔｙ  Ｉｎｄｉｃａｔｏｒ）を利用して基地局に提供するが、以下、このようなＣＱＩ転送方法について図４を参照して説明する。
【００３８】
図４は、本発明による拡張されたリンク適応技法を提供するためのＣＱＩ転送方法を説明するための図である。
【００３９】
図４に示すように、本発明による拡張されたリンク適応技法を提供する送信側移動通信端末機は、基地局に周期的にＣＱＩを転送するだけでなく、パケット損失を示すＮＡＣＫに対する拡張されたＣＱＩを転送する。これにより、前記送信側移動通信端末機は、前記拡張されたＣＱＩを転送してチャネル状態を基地局に通知し、前記転送した拡張されたＣＱＩに基づいて少なくとも１つの予め決定されたパラメータを変更する。図４において、ＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）はダウンリンク高速データチャネルを、ＨＳ−ＤＰＣＣＨ（Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ）は前記ＨＳ−ＤＳＣＨの処理に必要な情報を含むアップリンク制御チャネルを示す。
【００４０】
以下、本発明による拡張されたリンク適応技法を提供する受信側移動通信端末機について図５を参照して説明する。
【００４１】
図５は、本発明による拡張されたリンク適応技法を提供する受信側移動通信端末機を示す構成図である。
【００４２】
図５に示すように、本発明による拡張されたリンク適応技法を提供する受信側移動通信端末機は、チャネル状態に応じて少なくとも１つの予め決定されたパラメータを設定するＣＰＵ１００と、データを受信するアンテナ７００と、前記受信されたデータを復調する復調器６１０と、前記設定されたパラメータに基づいて前記復調されたデータをチャネルデインターリーブする、少なくとも１つのチャネルデインターリーバ（Ｃｈａｎｎｅｌ  Ｄｅｉｎｔｅｒｌｅａｖｅｒ）で構成されたチャネルデインターリーバ部５３０と、前記設定されたパラメータに基づいて前記チャネルデインターリーブされたデータを処理するＨＡＲＱ受信処理部４２０と、前記設定されたパラメータに基づいて前記処理されたデータを復号化する、少なくとも１つのチャネル復号化器で構成されたチャネル復号化部３３０と、前記チャネル復号化されたデータからＣＲＣビットを抽出してデパケット化するＣＲＣ部２００とを含む。
【００４３】
このように構成された本発明による拡張されたリンク適応技法を提供する受信側移動通信端末機は、前述した本発明による拡張されたリンク適応技法を提供する送信側移動通信端末機と同様であるのでその詳細な説明は省略する。
【００４４】
本発明の技術的範囲は、明細書の詳細な説明に記載された内容に限定されるものではなく、特許請求の範囲により定められるべきである。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４６】
【図１】本発明による拡張されたリンク適応技法を提供する送信側移動通信端末機を示す構成図である。
【図２】本発明による拡張されたリンク適応技法を提供する方法を示すフローチャートである。
【図３Ａ】図１のチャネル符号化部の一例を示す構成図である。
【図３Ｂ】図１のチャネル符号化部の他の例を示す構成図である。
【図４】本発明による拡張されたリンク適応技法を提供するためのＣＱＩ転送方法を説明するための図である。
【図５】本発明による拡張されたリンク適応技法を提供する受信側移動通信端末機を示す構成図である。
【図６】従来のリンク適応技法を提供する送信側移動通信端末機を示す構成図である。
【図７】従来のリンク適応技法を提供する方法を示すフローチャートである。
【符号の説明】
【００４７】
１００  ＣＰＵ
２００  ＣＲＣ部
３２０  チャネル符号化部
３３０  チャネル復号化部
４１０  ＨＡＲＱ送信処理部
４２０  ＨＡＲＱ受信処理部
５２０  チャネルインターリーバ部
５３０  チャネルデインターリーバ部
６００  変調器
６１０  復調器
７００  アンテナ
【図１】
2007159138.tif 000003
【図２】
2007159138.tif 000004
【図３Ａ】
2007159138.tif 000005
【図３Ｂ】
2007159138.tif 000006
【図４】
2007159138.tif 000007
【図５】
2007159138.tif 000008
【図６】
2007159138.tif 000009
【図７】
2007159138.tif 000010